(57)【要約】【課題】設備側から得られる各種情報を用いて現在の状態を求め、ＰＯＭＤＰ（部分的に観測可能なマルコフ決定過程）モデルを基に高精度のシミュレーションを行い、その結果に基づいて設備の今後の運用方策を判定する設備運用方策判定方法、設備運用方策判定装置、設備運用方策判定プログラム、及び設備運用方策判定システムを提供する。【解決手段】  稼動時における設備の現在の状態を、前記設備からの情報に基づいて、複数の状態ｉ（０〜Ｎ）別の確率である現在の状態確率ベクトルとして求め、前記設備の前記状態ｉ（０〜Ｎ）の確率が、一定期間稼動後に状態ｊ（０〜Ｎ）の確率へ推移する予め求められた確率の行列を、前記設備からの情報に基づいて補正して更新し、前記現在の状態確率ベクトルと前記更新後の状態推移確率の行列とから前記一定期間稼動後の状態確率ベクトルを求め、この一定期間稼動後の状態確率ベクトルに基づいて、前記設備の運用方策を判定する。【選択図】図１
2014229001.tif 000002
【特許請求の範囲】
【請求項１】
稼動時における設備の現在の状態を、前記設備からの情報に基づいて、複数の状態ｉ（０〜Ｎ）別の確率である現在の状態確率ベクトルとして求めるステップと、
前記設備の前記状態ｉ（０〜Ｎ）の確率が、一定期間稼動後に状態ｊ（０〜Ｎ）の確率へ推移する予め求められた確率の行列を、前記設備からの情報に基づいて補正して更新するステップと、
前記現在の状態確率ベクトルと前記更新後の状態推移確率の行列とから前記一定期間稼動後の状態確率ベクトルを求めるステップと、
前記一定期間稼動後の状態確率ベクトルに基づいて、前記設備の運用方策を判定するステップと
を備えたことを特徴とする設備運用方策判定方法。
【請求項２】
稼動時における設備の現在の状態を、前記設備からの情報に基づいて、複数の状態ｉ（０〜Ｎ）別の確率である現在の状態確率ベクトルとして求める現在の状態確率演算部と、
前記設備の前記状態ｉ（０〜Ｎ）の確率が、一定期間稼動後に状態ｊ（０〜Ｎ）の確率へ推移する予め求められた確率の行列を、前記設備からの情報に基づいて補正し、更新する対象設備の状態推移確率演算部と、
前記現在の状態確率演算部で求められた現在の状態確率ベクトルと前記状態推移確率演算部で更新された更新後の状態推移確率の行列とから前記一定期間稼動後の状態確率ベクトルを求め、この一定期間稼動後の状態確率ベクトルに基づいて、前記設備の運用方策を判定するシミュレーション部と、
を備えたことを特徴とする設備運用方策判定装置。
【請求項３】
前記現在の状態確率演算部は、前記設備に対する保守点検情報に基づいて、複数の状態ｉ（０〜Ｎ）別の確率を数値化し、前記対象設備の状態推移確率演算部は、前記設備に対するモニタリング情報を用いて状態推移確率の行列を補正することを特徴とする請求項２に記載の設備運用方策判定装置。
【請求項４】
前記シミュレーション部は、求められた前記一定期間稼動後の状態確率ベクトルの各確率を、予め設定した閾値と比較し、その比較結果により、運用方策「現状のまま運用」、「検査・修理」、「更新」の採否を判定し、出力することを特徴とする請求項２又は請求項３に記載の設備運用方策判定装置。
【請求項５】
前記シミュレーション部は、前記設備に対する方策「検査・修理」に対して、修理前の状態ｉ（０〜Ｎ）の確率が、修理後に状態ｊ（０〜Ｎ）の確率となる行列として予め設定された修理確率行列を有し、前記設備に対する「検査・修理」が行われる場合は、前記修理確率行列を用いて修理前の状態ｉの確率から修理後の期間における状態確率ベクトルを求めることを特徴とする請求項２乃至請求項４のいずれかに記載の設備運用方策判定装置。
【請求項６】
前記シミュレーション部は、前記設備に対する方策が「更新」の場合は、更新設備について予め設定された「更新」後の状態確率ベクトルを求めることを特徴とする請求項２乃至請求項５のいずれかに記載の設備運用方策判定装置。
【請求項７】
予め設定された前記設備に対する前記各運用方策の採用に伴うコストを用いた予定の演算式により、前記各運用方策を採用する場合の総期待コストを前記運用方策毎に算出し、この総期待コストが最小となる運用方策を判定して出力する総期待コスト演算部を有することを特徴とする請求項２乃至請求項６のいずれかに記載の設備運用方策判定装置。
【請求項８】
稼動時における設備の現在の状態を、前記設備からの情報に基づいて、複数の状態ｉ（０〜Ｎ）別の確率である状態確率ベクトルとして求める機能と、
前記設備の前記状態ｉ（０〜Ｎ）の確率が、一定期間稼動後に状態ｊ（０〜Ｎ）の確率に推移する予め求められた確率の行列を、前記設備からの情報に基づいて補正し、更新する機能と、
前記現在の状態確率ベクトルと前記更新後の状態推移確率の行列とから前記一定期間稼動後の状態確率ベクトルを求める機能と、
この求められた前記一定期間稼動後の状態確率ベクトルに基づいて、前記対象設備の運用方策を判定する機能と、
をコンピュータに実現させるための設備運用方策判定プログラム。
【請求項９】
設備に対する保守点検情報を保持する保守点検情報保持装置と、前記設備へのモニタリングを行いそのモニタリング情報を保持するモニタリング情報保持装置と、これら保守点検情報保持装置及びモニタリング情報保持装置からそれぞれ前記情報を入力し、前記設備の運用方策を判定する設備運用方策判定装置とを有する設備運用方策判定システムであって、
前記設備運用方策判定装置は、
稼動時における設備の現在の状態を、前記設備からの情報に基づいて、複数の状態ｉ（０〜Ｎ）別の確率である現在の状態確率ベクトルとして求める現在の状態確率演算部と、
前記設備の前記状態ｉ（０〜Ｎ）の確率が、一定期間稼動後に状態ｊ（０〜Ｎ）の確率へ推移する予め求められた確率の行列を、前記設備からの情報に基づいて補正し、更新する対象設備の状態推移確率演算部と、
前記現在の状態確率演算部で求められた現在の状態確率ベクトルと前記状態推移確率演算部で更新された更新後の状態推移確率の行列とから前記一定期間稼動後の状態確率ベクトルを求め、この一定期間稼動後の状態確率ベクトルに基づいて、前記設備の運用方策を判定するシミュレーション部と
を備えたことを特徴とする設備運用方策判定システム。
【発明の詳細な説明】
【技術分野】
【０００１】
本発明の実施形態は、対象設備の現状の状態を把握し、以後の運用方策を判定する設備運用方策判定方法、設備運用方策判定装置、設備運用方策判定プログラム、及び設備運用方策判定システムに関する。
【背景技術】
【０００２】
各種のプラントにおける各種設備、機器等の対象設備については、それらの運転／停止情報、故障発生情報、運転状態を表す各種アナログ値等が、中央監視設備等にてモニタリングされている。しかし、これらの対象設備がある一定期間後どのような状態 (新品〜故障といった老朽化の度合い)となるかは日常的に監視されていない。機場における保全計画も実際は、ある程度老朽化が進行した状態において設備診断等によりコストを算出の上、計画、発注されているのが実情である。
【０００３】
そこで、プラントや製品の償却期間全般にわたる保守計画を定量的にコストの観点を入れて計画できるようにした最適保守計画決定方法に関する発明が提案されている（例えば、特許文献１参照）。
【０００４】
この発明は、プラントや製品を構成するユニットや部品に関する損傷確率と保守費用に関するデータとを記憶しておき、プラントや製品の消却期間を特定間隔の短期保守期間に区切り、各短期保守期間毎にその期間の終了時におけるプラントや製品を構成するユニットや部品に関する状態を、損傷確率を元に算出する。そして、この算出結果に基づいて短期保守期間の開始時に検査・補修を行うユニットや部品を選定すると共に検査費用と補修費用を算出し、それを償却年度まで繰り返す。このことで、保守のユニットや部品を選択すると共に保守費用を算出するようにしている。
【０００５】
また、別の発明として、複数の部品を効率的に保守するための保守計画を作成することが提案されている（例えば、特許文献２参照）。
【０００６】
この発明では、複数の基準周期ごと、および、部品ごとに、取替周期を入力して期待費用を出力する部品ごとに定められた関数として、基準周期の倍数で表される取替周期で、期待費用の最小値を出力する取替周期の前後の取替周期をそれぞれ入力する。出力される期待費用が小さい取替周期を表す最小化周期を算出すると共に、複数の基準周期のうち、最小化周期を関数に入力して出力される部品ごとの期待費用と、基準周期での取替えに要する保守員費用との和が最小となる基準周期を表す最適基準周期を算出する。そして、部品ごとに、最適基準周期に対して算出された最小化周期で取替えることを表す保守計画を作成する。
【０００７】
これらは、機器が有する複数の部品それぞれの取替えに必要な期待費用を、モンテカルロ法を用いて算出する保守計画作成についての発明である。
【０００８】
このほかに、中期リスクに基づいた設備横断の修繕計画立案を支援する発明が提案されている。（例えば、特許文献３参照）。
【０００９】
この発明は、特定の修繕項目について、該当する故障モード進展レベルを特定し、該当する故障モード進展レベルの次の故障モード進展レベルにおける故障頻度についてのデータを特定する。故障モード進展レベルに対応して影響度データを保持する影響度DBから次の故障モード進展レベルにおける故障の影響度を取得し、故障頻度についてのデータ及び故障の影響度に基づきリスク値を算出し、修繕項目に対応して記憶装置に格納する。このように特定の修繕項目について故障モード進展レベルを特定し、当該故障モード進展レベルの次の故障モード進展レベルに注目することにより、中期的リスクを適切に定量化する。
【００１０】
この発明では、修繕計画の立案者による処理開始の指示に前もって、マルコフモデルによるシミュレーションを実施し、頻度ポイント・テーブル及び巡視周期（又は点検周期）を、機器又は機器の部位についての故障原因毎に決定している。
【先行技術文献】
【特許文献】
【００１１】
【特許文献１】特開２００３−９９１１９号公報
【特許文献２】特開２００９−２０４７６４号公報
【特許文献３】特開２００５−１１３２７号公報
【発明の概要】
【発明が解決しようとする課題】
【００１２】
このように、対象設備の状態から、その保守計画や修繕計画を立案し、それにかかるコストを算出する発明が各種提案されている。本発明も、これらの発明に類するものであるが、これらの発明とは具体的手法を異にして、より実効性の高い手法を提案するものである。
【００１３】
すなわち、本発明が解決しようとする課題は、対象設備側から得られる各種情報を用いて現状の状態を求め、ＰＯＭＤＰ（部分的に観測可能なマルコフ決定過程）モデルを基に高精度のシミュレーションを行い、その結果に基づいて対象設備の今後の運用方策を決定する設備運用方策判定方法、設備運用方策判定装置、設備運用方策判定プログラム、及び設備運用方策判定システムを提供することにある。
【課題を解決するための手段】
【００１４】
本発明の実施の形態に係る設備運用方策判定方法、設備運用方策判定装置、設備運用方策判定プログラム、及び設備運用方策判定システムは、稼動時における設備の現在の状態を、前記設備からの情報に基づいて、複数の状態ｉ（０〜Ｎ）別の確率である現在の状態確率ベクトルとして求め、前記設備の前記状態ｉ（０〜Ｎ）の確率が、一定期間稼動後に状態ｊ（０〜Ｎ）の確率へ推移する予め求められた確率の行列を、前記設備からの情報に基づいて補正して更新し、前記現在の状態確率ベクトルと前記更新後の状態推移確率の行列とから前記一定期間稼動後の状態確率ベクトルを求め、この一定期間稼動後の状態確率ベクトルに基づいて、前記設備の運用方策を判定する。
【図面の簡単な説明】
【００１５】
【図１】本発明の一実施形態に係る設備運用方策判定システムを示す機能ブロックの図である。
【図２】本発明の一実施形態の動作を説明するフローチャートである。
【図３】本発明の一実施形態に用いる状態推移確率の行列を説明する図である。
【図４】本発明の一実施形態に用いる修理確率の行列を説明する図である。
【図５】本発明の一実施形態の運用方策「現状のまま運用」の場合を説明する図である。
【図６】本発明の一実施形態の運用方策「検査・修理」の場合を説明する図である。
【図７】本発明の一実施形態の運用方策「更新」の場合を説明する図である。
【発明を実施するための形態】
【００１６】
以下、本発明の実施の形態について、図面を用いて詳細に説明する。図１は、この実施の形態に係る設備運用方策判定システムの概略構成を示している。
【００１７】
この設備運用方策判定システムは、例えば、上下水道プラントのポンプやその受変電設備に用いられるスイッチギア等を対象設備としたものとする。勿論、他のプラントや、より小規模な機械・器具設備などを対象設備としてもよい。
【００１８】
このシステムは、図１に示すように、対象設備（図示せず）の保守点検情報を保持する保守点検情報保持装置１１と、対象設備に対するモニタリングを行い、そのモニタリング情報を保持するモニタリング情報保持装置１２と、これら保守点検情報保持装置１１及びモニタリング情報保持装置１２からそれぞれ情報を入力し、対象設備の運用方策を判定する設備運用方策判定装置１３とを有する。
【００１９】
保守点検情報保持装置１１に保持される保守点検情報としては、保守点検の際に用いるチェックリストの内容をデータとして保持する。例えば、ポンプであれば規定の吐出量が保持されているか、電気品であれば絶縁状態はどうか、絶縁部分にひび割れは生じていないか等、保守点検時に確認された内容をチェックリストの形でどの程度の状態かを段階状にデータ保持する。
【００２０】
モニタリング情報保持装置１２としては、対象設備に対する中央監視装置が用いられ、この監視装置によりモニタリングされた設備情報１２１を記憶している設備情報データベース１２２を有する。このモニタリングされた設備情報１２１とは、例えば、対象設備に関する警報の回数や、各種測定値などである。
【００２１】
次に、設備運用方策判定装置１３について説明する。この設備運用方策判定装置１３は、現在の状態確率演算部２１、対象設備の状態推移確率演算部２２、及びシミュレーション部２３を主体とし、これらに関連する各種構成要素から構成される。以下詳述する。
【００２２】
現在の状態確率演算部２１は、予定の期間（ある一定期間）稼動時における対象設備の現在の状態を、データ入力部に２５により入力される対象設備からの情報に基づいて、複数の状態ｉ（０〜Ｎ）別の確率π０，π１，・・，πｎである状態確率ベクトルΠとして求める。この求められた現在の状態確率ベクトルΠは、出力・表示部２８に出力され、表示される。
【００２３】
データ入力部に２５により入力される対象設備からの情報としては、対象設備に対する保守点検情報とする。ここで、保守点検情報は、前述のようにチェックリストに基づくものであり、チェックリストに設定された対象設備の状態がどの段階などか、に基づいて、所定の変換式を用いて複数の状態ｉ（０〜Ｎ）別の確率π０，π１，・・，πｎを数値化する。
【００２４】
例えば、状態ｉとして、状態０から状態４の５段階（Ｎ＝５）とした場合、対象設備の現状が、どの状態であるか、 その状態確率ベクトルΠを算出する。ここで、対象設備が新品であれば状態０であり、状態の数値が大きくなるに従って悪い状態となる。例えば、:新品ではない対象設備の現状の状態が、状態０では確率０％（新品でないため）、状態１では確率４０％、状態２では確率３０％、状態３では確率２０％、状態４では確率１０％とした場合、現状の状態確率ベクトルΠ＝（π０，π１，・・，π４）の値は（０，０．４，０．３，０．２，０．１）となる。
【００２５】
現在の状態確率演算部２１は、この状態ベクトルΠ＝（π０，π１，・・，π４）の値を、前述のように対象設備に対する保守点検情報（保守点検チェックリスト）に基づき算出する。例えば、対象設備が電気品であれば、保守点検チェックリストには、その絶縁状態が段階的に捉えられており、その絶縁状態の段階に基づき、予め設定した変換式により、対象設備の状態確率ベクトルΠ＝（π０，π１，・・，π４）の値を算出する。
【００２６】
現在の状態確率演算部（以下、単に状態確率演算部と呼ぶ）２１にて算出された対象設備の状態確率ベクトルΠ（π０，π１，・・，π４）の値は、設備情報データベース２６に格納される。また、この設備情報データベース２６には、シミュレーション部２３にて後述するように算出された、ある一定期間後の状態確率も格納される。
【００２７】
このように、従来は、保守点検員の五感により対象設備の状態が判断されていたが、保守点検チェックリストの情報を本実施形態の装置に入力し、設備状態を判定させることで定量的に数値化することが出来る。
【００２８】
なお、データ入力部２５は、上述した保守点検員により保守点検チェックリスト等を用いて実施される点検結果のデータ（保守点検情報）の入力のほかに、前述したある一定期間の間隔設定、及び後述する方策判定のための状態確率に対する闘値の設定にも用いられる。
【００２９】
対象設備の状態推移確率演算部（以下、単に状態推移確率演算部と呼ぶ）２２は、対象設備の状態ｉ（０〜Ｎ）の確率が、ある一定期間稼動後に状態ｊ（０〜Ｎ）の確率へ推移する確率の行列Ｐ（図３で示す）を、対象設備からの情報に基づいて現状に即して補正し、更新する。図３で示す行列Ｐは、対象設備のメーカの統計等により、対象設備がある一定期間稼働後に状態Ｓ＝ｉからＳ＝ｊへ推移する確率として求められており、対象設備の状態推移確率データベース（以下、単に状態推移確率データベースと呼ぶ）２７に格納されている。
【００３０】
状態推移確率演算部２２は、この確率の行列Ｐを、対象設備からの情報（この実施の形態では、モニタリング情報保持装置１２の設備情報データベース１２２から入力される対象設備に対するモニタリング情報）を用いて補正演算する。すなわち、この状態推移確率演算部２２は、メーカの統計データなどで予め求められている対象設備の状態推移確率の行列Ｐを、モニタリング情報保持装置１２の設備情報データベース１２２からの情報（モニタリングされたアナログ値、アラーム(故障)の頻度、状態・故障履歴等）を基に補正演算する。この状態推移確率演算部２２で算出された（補正された）確率の行列Ｐは、やはり状態推移確率データベース２７に更新格納される。
【００３１】
上述した関係を整理すると次のようになる。
【００３２】
Ｓ：システム（対象設備）の内部状態
Ｓ∈（０，１，・・，ｉ，・・，Ｎ）
πｉ：Ｓ＝ｉである確率
πｉ＝Pr（Ｓ＝ｉ）
Π＝（π０，π１，・・，πＮ）：状態確率ベクトル
ｅ０：システム（対象設備）が新品である状態確率ベクトル
ｅ０＝（１，０、・・・，０）
図３におけるｐｉｊは、ｐｉｊ：１期間稼動後に状態Ｓ＝ｉからＳ＝ｊへ推移する確率である。
【００３３】
シミュレーション部２３は、状態確率演算部２１で求められた現在の状態確率ベクトル（Π（１）とする）と、状態推移確率演算部２２により現状に即して補正され、更新された状態推移確率の行列Ｐとから、ある一定期間稼動後の次の期間における状態確率ベクトル（Π（２）とする）を求める。なお、Π（１），Π（２）は、ある状態確率ベクトル（∈Π（Ｎ＋１）である。
【００３４】
ここで、図５で示すように、最初の１期間目（ある一定期間）における現在の状態ベクトルをΠ（１）＝（π０，π１，・・・，πＮ）としてそのまま稼動すると、ある一定期間後の状態確率ベクトルはΠ（２）＝Π（１）・Ｐとなる。この求められた一定期間後の状態確率ベクトルΠ（２）は出力・表示部２８に出力され、運用者に提示される。
【００３５】
また、この求められた、ある一定期間後の状態確率ベクトルΠ（２）に基づいて、対象設備の運用方策を判定する。この場合、シミュレーション部２３は、求められた一定期間後の状態確率ベクトルΠ（２）の各状態π０，π１，・・・，πＮのうち、予め定めた状態（例えば、π３とする）の確率を、予定の閾値と比較し、その比較結果により、運用方策「現状のまま運用」、「検査・修理」、「更新」の採否を判定する。すなわち、比較結果により、対象設備に「修理」又は「更新」が必要と判定された場合は、その旨、出力・表示部２８に出力され、推奨される運用方策として対象設備の運用者に提示される。
【００３６】
このとき、状態π０，π１，・・・，πＮのうち、どの状態を閾値との比較対象とするか、また、閾値はどの程度にするかは、対象設備管理者の運用方針、例えば、比較的早期に修理、或いは更新を行うか、反対に、寿命ぎりぎりまで運用するか、等により異なる。したがって、これらの値は管理者により任意に設定する。
【００３７】
また、シミュレーション部２３は、対象設備に対する検査・修理に対応するため、修理前の状態ｉ（０〜Ｎ）が、修理ｍ（１〜Ｍ）後に状態ｊ（０〜Ｎ）となる確率の行列として設定された修理確率行列Ｑ（ｍ）（図４に示す）を有する。この修理確率行列Ｑ（ｍ）は、状態推移確率データベース２７に格納される。
【００３８】
対象設備に対する検査・修理が行われる場合は、修理前の状態ｉから、修理確率行列Ｑ（ｍ）を用いて修理後の期間における状態確率ベクトルｅｊを求める。図６は、最初の１期間目に修理が行われる場合を表している。修理に際しては、対象設備の状態が今どのような状態なのかを検査し、その検査結果により修理前の状態を確定する。すなわち、Ｓ＝０，１，・・，ｉ，・・，Ｎのいずれかの状態の確率を１とする。そして、修理ｍが行われると、シミュレーション部２３は、図４で示した修理確率行列Ｑ(m)からｑ(m)ijを特定し、修理後における対象設備の状態確率ベクトルｅｊ＝（０，０，・・，１，・・，０）を求める。
【００３９】
また、対象設備を新品に交換する更新が行われると、シミュレーション部２３は、更新後における対象設備の状態確率ベクトルを、ｅ０＝（１，０、・・・，０）とする。
【００４０】
このように、シミュレーション部２３は、現在の対象設備の状態確率ベクトルΠ（１）と、現状に即して補正された状態推移確率Ｐや、修理確率行列Ｑ（ｍ）等を用いて各運用方策を採用した場合における、ある期間後の状態確率ベクトルΠ（２）、ｅｊ、ｅ０をシミュレーションにて演算する。
【００４１】
総期待コスト演算部２９は、上述したシミュレーション結果より、各運用方策「現状のまま運用」、「検査・修理」、「更新」を採用した場合における総期待コストＶ(Π)を下式により算出し、比較を行い、総期待コストＶ(Π)が最小となる運用方策を判定する。
【数１】
2014229001.tif 000003
【００４２】
Ｃ（１）：１期間稼動する際のコスト
Ｒ   ：新品に交換するときのコスト
Ｉ   ：検査をするときのコスト
ｒ（ｍ）：修理ｍにかかるコスト
β   ：割引係数（将来発生するコスト（総期待コスト)を現時点でのコストに置き換えた際の割引率）
Ｖ(Π)：総期待コスト
上記式において、パターン(１)は運用方策「現状のまま運用」の場合の演算式であり、１期間における現状状態でのコストに、次の期間の状態ベクトルに基づく次期間以降の総期待コストを加えている。パターン(２)は運用方策「検査・修理」の場合の演算式であり、検査にかかるコストに、修理により発生するコスト及び修理後の総期待コストを、修理後の状態ベクトルに基づいて算出し、それらのうちの最小値を加えている。パターン(３)は運用方策「更新」の場合の演算式であり、新品に交換するときのコストに、更新後の状態ベクトルに基づく次期間以降の総期待コストを加えている。
【００４３】
総期待コスト演算部２９は、これらの３つのパターンについての演算により、各運用方策を採用した場合の総期待コストＶ(Π)を算出し、相互に比較を行い、総期待コストＶ(Π)が最小となる運用方策を判定する。この総期待コストＶ(Π) が最小となると判定された運用方策を、前述した出力・表示部２８に出力し、表示させる。
【００４４】
なお、各期待コストデータベース３０は、上述した各演算に必要な各運用方策における期待コストを格納する。
【００４５】
次に、設備運用方策判定装置１３の動作を、図２のフローチャートに従って説明する。
【００４６】
（Ｓ１０）
保守点検員により保守点検チェックリスト等を用いて実施される保守点検結果をデータ入力部２５から入力する。また、入力された情報は保守点検情報保持装置１１で保持される。
【００４７】
（Ｓ１１）
データ入力部２５から入力された情報（保守点検結果）から、対象設備の状態が、例えば、状態０から状態４の５段階のうち、現在どの状態であるか、その状態確率ベクトルΠを現在の状態確率演算部２１にて算出し、出力・表示部２８に出力し、表示する。
【００４８】
（Ｓ１２）
対象設備の状態推移確率(行列)Ｐの更新開始操作を行う。
【００４９】
（Ｓ１３）
対象設備の状態推移確率(行列)Ｐを、状態推移確率演算部２２により、現状に即して補正し更新する。すなわち、対象設備からの情報、この実施の形態では、モニタリング情報保持装置１２の設備情報データベース１２２から入力されるモニタリング情報（アナログ値のモニタリング、アラーム(故障)の頻度、状態・故障履歴等）を用いて補正演算し、現状に即して更新する。
【００５０】
（Ｓ１４）
シミュ レーションを実施するにあたり、期間の間隔設定、及び状態確率における閾値（例：状態４となる確率 が５０％は修理、状態４となる確率が８０％以上は更新等）をデータ入力部２５から入力し、設定する。
【００５１】
（Ｓ１５）
シミュレーション開始操作を行う。
【００５２】
（Ｓ１６）
現在の状態確率演算部２１にて算出した対象設備の状態確率ベクトルΠと、状態推移確率演算部２２にて補正した状態推移確率Ｐを用いて、前述した各運用方策を採用した場合の、ある期間後の状態確率ベクトルをシミュレーション２３にてシミュレーションにより演算し、出力・表示部２８にて表示させる。
【００５３】
（Ｓ１７）
シミュレーション部２３にて演算された対象設備の状態推移した確率の値と、上述の（Ｓ１４） にて設定した闘値を比較し、「修理」または「更新」の要否を判定する。
【００５４】
（Ｓ１８）
上述した（Ｓ１７）での判定の結果、対象設備において「修理」または「更新」の必要がある場合は、その旨を出力・表示部２８にて表示する。
【００５５】
（Ｓ１９）
シミュレーション部 ２３でのシミュレーション結果より、各運用方策を採用した場合における総期待コストＶ(Π)を総期待コスト演算部２９にて算出する。
【００５６】
（Ｓ２０）
総期待コスト演算部２９にて算出した各運用方策を採用した場合における総期待コス トＶ(Π)を比較し、最小となる運用方策を選択する。またその選択結果を出力・表示部２８にて表示する。
【００５７】
以上のように、この実施の形態によれば以下に示す作用効果が生じる。
【００５８】
（１）従来、保守点検員の五感により対象設備の状態が判断されていたが、保守点検チェックリストの 情報を本装置に入力し、設備状態を判定させることで定量的に数値化し、出力することが出来る。
【００５９】
（２）従来の監視装置にて記憶している設備情報(アナログ値のモニタリング、アラーム(故障)の頻度、状態・故障履歴等)を本装置に取り入れ、対象設備の状態推移確率Ｐを補正し、更新することで、各プラント（対象設備）の現状に即した精度の高いシミュレーションが可能となる。また、その結果と闇値との比較により、「修理」、「更新」などの運用方策が推奨である旨を出力することが出来る。すなわち、POMDP (部分的に観測可能なマルコフ決定過程)モデルを基に対象設備のある一定期間後の状態をシミュレーションし、その結果から設定した闘値を超えた機器については「修理」や「更新」などの運用方策が推奨である旨をモニタに出力することができる。
【００６０】
（３）精度の高いシミュレーション結果に基づいた各運用方策における総期待コストの演算、比較により、選択すべき運用方策を明確化し、出力することが出来る。
【００６１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００６２】
１１…保守点検情報保持装置
１２…モニタリング情報保持装置
１３…設備運用方策判定装置
２１…現在の状態確率演算部
２２…対象設備の状態推移確率演算部
２３…シミュレーション部
２５…データ入力部
２８…出力・表示部
２９…総期待コスト演算部
【図１】
2014229001.tif 000004
【図２】
2014229001.tif 000005
【図３】
2014229001.tif 000006
【図４】
2014229001.tif 000007
【図５】
2014229001.tif 000008
【図６】
2014229001.tif 000009
【図７】
2014229001.tif 000010